(57)【要約】【課題】一対の保持器片からなる玉軸受用波形保持器において、ポケット内面の寸法精度を確保しつつ、保持器片の分離を防止することである。【解決手段】一方の保持器片２の平坦部２ａに保持器径方向に延びる係止爪８を設けてその中央部に孔８ａをあけ、この係止爪８を他方の保持器片３の平坦部３ａに重なるように折り返してかしめ、孔８ａの位置で他方の保持器片３の平坦部３ａに溶接して両保持器片２、３を結合することにより、両保持器片２、３を分離しにくくするとともに、溶接部９からポケット４までの距離を大きくとって、ポケット４内面の寸法精度が溶接時の熱の影響を受けにくいようにしたのである。【選択図】図１
2008032195.tif 000002
【特許請求の範囲】
【請求項１】
円周方向に平坦部と湾曲部とが交互に形成された一対の環状保持器片がその平坦部どうしおよび湾曲部どうしを対向させた状態で結合されて、互いに対向する湾曲部により形成されたポケットに玉軸受の玉を収容する玉軸受用波形保持器において、前記一対の環状保持器片を結合する手段が、一方の保持器片の平坦部に保持器径方向に延びる係止爪を設けてその中央部に孔をあけ、前記係止爪を他方の保持器片の平坦部に重なるように折り返してかしめ、前記孔の位置で他方の保持器片の平坦部に溶接するものであることを特徴とする玉軸受用波形保持器。
【発明の詳細な説明】
【技術分野】
【０００１】
本発明は、玉軸受用保持器のうち、特に一対の環状保持器片からなる波形保持器に関する。
【背景技術】
【０００２】
玉軸受用保持器の一種である波形保持器は、円周方向に平坦部と湾曲部とが交互に形成された一対の環状保持器片を、その平坦部どうしおよび湾曲部どうしを対向させた状態で結合して、互いに対向する湾曲部で形成したポケットに転動体としての玉を収容するものである。この波形保持器には、一方の保持器片の平坦部に保持器径方向に延びる係止爪を設け、この係止爪を他方の保持器片の平坦部に重なるように折り返してかしめることにより両保持器片の結合を行っているものがある（例えば、特許文献１参照。）。
【特許文献１】特開平１１−３２５０７９号公報
【０００３】
ところで、上記のように係止爪をかしめて一対の保持器片を結合した波形保持器では、この保持器を組み込んだ玉軸受が急加減速を繰り返すような厳しい条件で使用された場合に、軸受の荷重負荷により遅れ進みを生じた玉がポケット内面を円周方向に押圧することにより、玉から受ける力で両保持器片の平坦部どうしの間が押し広げられ、かしめた係止爪が曲げ戻されて、両保持器片が分離してしまうことがある。両保持器片が分離すると、軸受の円滑な回転が損なわれ、軸受の損傷や軸受を組み込んだ装置のトラブルにつながることもある。
【０００４】
これに対して、一方の保持器片のかしめた係止爪を他方の保持器片の平坦部に溶接するようにすれば、両保持器片の結合力を大きくして、両保持器片を分離しにくくすることができる。図２は、このように係止爪を溶接した保持器を玉軸受に組み込んだ状態の一例を示す。この保持器５１は、図２（ａ）に示すように、一対の環状保持器片５２、５３を互いに結合して、玉軸受の内輪５４と外輪５５との間に配された複数の玉５６を、それぞれポケット５７に収容するようにしたものである。そして、両保持器片５２、５３の結合手段としては、前述の通り、図２（ｂ）に示すように、一方の保持器片５２の平坦部５２ａに設けた係止爪５８を、他方の保持器片５３の平坦部５３ａに重なるように折り返してかしめたうえで溶接する方法を採用している。また、その溶接は、図２（ｃ）に示すように、係止爪５８の周縁に沿う３箇所の溶接部５９で行われている。
【０００５】
しかしながら、一方の保持器片の係止爪を図２に示した位置で他方の保持器片に溶接すると、各溶接部からポケットまでの距離が短いために、溶接時の熱の影響によりポケットが変形して、玉の円滑な転動を妨げるおそれがある。
【発明の開示】
【発明が解決しようとする課題】
【０００６】
本発明の課題は、一対の保持器片からなる玉軸受用波形保持器において、ポケット内面の寸法精度を確保しつつ、保持器片の分離を防止することである。
【課題を解決するための手段】
【０００７】
上記の課題を解決するため、本発明は、円周方向に平坦部と湾曲部とが交互に形成された一対の環状保持器片がその平坦部どうしおよび湾曲部どうしを対向させた状態で結合されて、互いに対向する湾曲部により形成されたポケットに玉軸受の玉を収容する玉軸受用波形保持器において、前記一対の環状保持器片を結合する手段として、一方の保持器片の平坦部に保持器径方向に延びる係止爪を設けてその中央部に孔をあけ、前記係止爪を他方の保持器片の平坦部に重なるように折り返してかしめ、前記孔の位置で他方の保持器片の平坦部に溶接するものを採用した。
【０００８】
すなわち、一方の保持器片に設けた係止爪を他方の保持器片の平坦部に重なるように折り返してかしめたうえで溶接することにより、両保持器片の結合力を大きくして、両保持器片を分離しにくくするとともに、その溶接位置を係止爪の中央部にあけた孔の位置とすることにより、溶接部からポケットまでの距離を大きくとって、ポケット内面の寸法精度が溶接時の熱の影響を受けにくいようにしたのである。
【発明の効果】
【０００９】
本発明の玉軸受用波形保持器は、上述したように、一方の保持器片に設けた係止爪を他方の保持器片の平坦部に重なるように折り返してかしめたうえ、その中央部にあけた孔の位置で溶接したものであるから、溶接時の熱がポケットの形状に及ぼす影響を抑えて、ポケット内面の寸法精度を確保しながら、確実に保持器片の分離を防止することができる。従って、本発明の保持器を組み込んだ玉軸受は、保持器片の分離による損傷が生じにくく、また玉の転動も円滑に行われるので、安定して長期間使用できる。
【発明を実施するための最良の形態】
【００１０】
以下、図面に基づき、本発明の実施形態を説明する。図１は、実施形態の波形保持器１を玉軸受に組み込んだ状態を示す。この保持器１は、図１（ａ）に示すように、円周方向に平坦部２ａ、３ａと湾曲部２ｂ、３ｂとが交互に形成された一対の鋼板製環状保持器片２、３を、その平坦部２ａ、３ａどうしおよび湾曲部２ｂ、３ｂどうしを対向させた状態で結合して、互いに対向する湾曲部２ｂ、３ｂにより形成されたポケット４に、玉軸受の内輪５と外輪６との間に配された玉７を収容するもので、この基本的な構成は図２に示したものと同じである。
【００１１】
そして、前記両保持器片２、３の結合は、図１（ｂ）、（ｃ）に示すように、一方の保持器片２の平坦部２ａに保持器径方向に延びる係止爪８を設けてその中央部に孔８ａをあけ、この係止爪８を他方の保持器片３の平坦部３ａに重なるように折り返してかしめ、孔８ａの位置で他方の保持器片３の平坦部３ａに溶接することにより行われている。
【００１２】
この保持器１は、上記の構成であり、かしめた係止爪８をその中央部の孔８ａの位置で溶接するようにしたので、確実に保持器片２、３の分離を防止できる。しかも、図２に示した例に比べて、溶接部９からポケット４までの距離が大きくとれるため、ポケット４内面の寸法精度が溶接時の熱の影響を受けにくく、玉７を円滑に転動させることができる。また、溶接箇所が少なくなるため、溶接作業の負荷を軽減できるし、溶接部９の面積を大きくとることができ、安定した溶接強度が得られるという利点もある。
【図面の簡単な説明】
【００１３】
【図１】ａは実施形態の保持器を玉軸受に組み込んだ状態の正面断面図、ｂはａの要部拡大断面図、ｃはｂのI−I線に沿った断面図
【図２】ａは従来の保持器を玉軸受に組み込んだ状態の正面断面図、ｂはａの要部拡大断面図、ｃはｂのII−II線に沿った断面図
【符号の説明】
【００１４】
１  波形保持器
２、３  保持器片
２ａ、３ａ  平坦部
２ｂ、３ｂ  湾曲部
４  ポケット
８  係止爪
８ａ  孔
９  溶接部
【図１】
2008032195.tif 000003
【図２】
2008032195.tif 000004